【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
バンド幅拡張されたオーディオストリームに関連するパラメータを記憶するように構成されたメモリと、
前記パラメータの値に少なくとも部分的に基づいて複数の非線形処理関数を選択することと、ここにおいて、前記複数の非線形処理関数が、第１の関数と第２の関数とを備え、ここにおいて、前記第１の関数が、前記第２の関数とは異なり、
第１の周波数サブレンジに前記第１の関数を適用することによって、および第２の周波数サブレンジに前記第２の関数を適用することによって、前記複数の非線形処理関数に基づいてハイバンド励起信号を生成することと、ここにおいて、前記第１の周波数サブレンジが、前記第２の周波数サブレンジとは異なる、
を行うように構成されたプロセッサと
を備える信号処理のためのデバイス。
【請求項２】
前記プロセッサが、ローバンド励起信号に基づいて、リサンプリングされた信号を生成するようにさらに構成され、ここにおいて、前記ハイバンド励起信号が前記リサンプリングされた信号に少なくとも部分的に基づく、請求項１に記載のデバイス。
【請求項３】
前記プロセッサが、前記複数の前記非線形処理関数とリサンプリングされた信号とに基づいて、第１の励起信号および第２の励起信号を生成するようにさらに構成され、ここにおいて、前記ハイバンド励起信号が前記第１の励起信号および前記第２の励起信号に基づく、請求項１に記載のデバイス。
【請求項４】
前記第１の励起信号が第１のハイバンド周波数サブレンジに対応し、前記第２の励起信号が第２のハイバンド周波数サブレンジに対応する、請求項３に記載のデバイス。
【請求項５】
前記第１の励起信号が、約８キロヘルツから１２キロヘルツの間にある第１のハイバンド周波数サブレンジに対応し、ここにおいて、前記第２の励起信号が、約１２キロヘルツから１６キロヘルツの間にある第２のハイバンド周波数サブレンジに対応する、請求項３に記載のデバイス。
【請求項６】
前記プロセッサが、
前記第１の励起信号にローパスフィルタを適用することによって第１のフィルタ処理された信号を生成することと、
前記第２の励起信号にハイパスフィルタを適用することによって第２のフィルタ処理された信号を生成することと
を行うようにさらに構成され、
ここにおいて、前記ハイバンド励起信号が、前記第１のフィルタ処理された信号と前記第２のフィルタ処理された信号とを組み合わせることによって生成される、
請求項３に記載のデバイス。
【請求項７】
前記プロセッサが、
リサンプリングされた信号への前記複数の非線形処理関数のうちの第１の関数の適用に基づいて第１の励起信号を生成することと、
前記リサンプリングされた信号への前記複数の非線形関数のうちの第２の関数の適用に基づいて第２の励起信号を生成することと
を行うようにさらに構成され、
前記ハイバンド励起信号が前記第１の励起信号および前記第２の励起信号に基づいており、好ましくは、
前記プロセッサが、少なくとも１つの追加の励起信号を生成するようにさらに構成され、
ここにおいて、前記少なくとも１つの追加の励起信号が、前記リサンプリングされた信号への少なくとも１つの追加の関数の適用に基づいて生成され、
ここにおいて、前記ハイバンド励起信号が、前記少なくとも１つの追加の励起信号にさらに基づいて生成され、
ここにおいて、前記第１の励起信号が第１のハイバンド周波数サブレンジに対応し、前記第２の励起信号が第２のハイバンド周波数サブレンジに対応し、前記少なくとも１つの追加の励起信号が少なくとも１つの追加のハイバンド周波数サブレンジに対応する、
請求項１に記載のデバイス。
【請求項８】
前記第１の関数が２乗関数を含み、ここにおいて、前記第２の関数が絶対値関数を含む、請求項７に記載のデバイス。
【請求項９】
前記パラメータが非線形構成モードを含む、および／または前記パラメータをエンコーダから受信するように構成された受信機をさらに備える、請求項１に記載のデバイス。
【請求項１０】
前記複数の非線形処理関数が絶対値関数および２乗関数を含み、ここにおいて、前記プロセッサは、
前記パラメータが第１の値を有すると決定したことに応答して前記絶対値関数を選択することと、
前記パラメータが第２の値を有すると決定したことに応答して２乗関数または前記複数の非線形処理関数を選択することと
を行うように構成された、請求項１に記載のデバイス。
【請求項１１】
前記プロセッサは、前記パラメータが第２の値を有し、前記バンド幅拡張されたオーディオストリームに関連する第２のパラメータが特定の値を有すると決定したことに応答して、前記複数の非線形処理関数を選択するように構成された、および／または前記プロセッサおよび前記メモリが、メディア再生デバイスまたはメディアブロードキャストデバイスに組み込まれ、好ましくは、前記第２のパラメータが混合構成モードを含む、請求項１に記載のデバイス。
【請求項１２】
アンテナと、
前記アンテナに結合され、符号化オーディオ信号を受信するように構成された受信機と
をさらに備え、好ましくは、前記受信機に結合された復調器をさらに備え、前記復調器が、前記符号化オーディオ信号を復調するように構成され、さらに好ましくは、
前記プロセッサに結合されたデコーダを備え、前記デコーダが、前記符号化オーディオ信号を復号するように構成され、ここにおいて、前記符号化オーディオ信号が、前記バンド幅拡張されたオーディオストリームに対応し、ここにおいて、前記プロセッサが前記復調器に結合され、好ましくは、前記受信機、前記復調器、前記プロセッサ、および前記デコーダがモバイル通信デバイスに組み込まれる、および／または前記受信機、前記復調器、前記プロセッサ、および前記デコーダが基地局に組み込まれ、前記基地局が、前記デコーダを含むトランスコーダをさらに備える、
請求項１に記載のデバイス。
【請求項１３】
デバイスにおいて、パラメータの値に少なくとも部分的に基づいて複数の非線形処理関数を選択することと、前記パラメータが、バンド幅拡張されたオーディオストリームに関連する、ここにおいて、前記複数の非線形処理関数が、第１の関数と第２の関数とを備え、ここにおいて、前記第１の関数が、前記第２の関数とは異なり、
前記デバイスにおいて、第１の周波数サブレンジに前記第１の関数を適用することによって、および第２の周波数サブレンジに前記第２の関数を適用することによって、前記複数の非線形処理関数に基づいてハイバンド励起信号を生成することと、ここにおいて、前記第１の周波数サブレンジが、前記第２の周波数サブレンジとは異なる、
を備える信号処理方法。
【請求項１４】
前記デバイスがメディア再生デバイスまたはメディアブロードキャストデバイスを備える、および／または前記デバイスがモバイル通信デバイスを備える、および／または前記デバイスが基地局を備える、請求項１３に記載の方法。
【請求項１５】
プロセッサによって実行されたとき、前記プロセッサに、請求項１３乃至１４のうちのいずれか一項に記載の方法を実施させる命令を記憶するコンピュータ可読記憶デバイス。
【手続補正２】
【補正対象書類名】明細書
【補正対象項目名】０２６６
【補正方法】変更
【補正の内容】
【０２６６】
[0271]開示される態様の上記の説明は、開示される態様を当業者が作成または使用することを可能にするために与えられた。これらの態様への様々な変更は当業者には容易に明らかになり、本明細書で定義された原理は本開示の範囲から逸脱することなく他の態様に適用され得る。したがって、本開示は、本明細書に示された態様に限定されるものではなく、以下の特許請求の範囲によって定義される原理および新規の特徴に一致する可能な最も広い範囲を与えられるべきである。
以下に本願の出願当初の特許請求の範囲に記載された発明を付記する。
［Ｃ１］
バンド幅拡張されたオーディオストリームに関連するパラメータを記憶するように構成されたメモリと、
前記パラメータの値に少なくとも部分的に基づいて複数の非線形処理関数を選択することと、
前記複数の非線形処理関数に基づいてハイバンド励起信号を生成することと
を行うように構成されたプロセッサと
を備える信号処理のためのデバイス。
［Ｃ２］
前記プロセッサが、ローバンド励起信号に基づいて、リサンプリングされた信号を生成するようにさらに構成され、ここにおいて、前記ハイバンド励起信号が前記リサンプリングされた信号に少なくとも部分的に基づく、Ｃ１に記載のデバイス。
［Ｃ３］
前記プロセッサが、前記複数の非線形処理関数とリサンプリングされた信号とに基づいて、第１の励起信号および第２の励起信号を生成するようにさらに構成され、ここにおいて、前記ハイバンド励起信号が前記第１の励起信号および前記第２の励起信号に基づく、Ｃ１に記載のデバイス。
［Ｃ４］
前記第１の励起信号が第１のハイバンド周波数サブレンジに対応し、前記第２の励起信号が第２のハイバンド周波数サブレンジに対応する、Ｃ３に記載のデバイス。
［Ｃ５］
前記第１の励起信号が、約８キロヘルツから１２キロヘルツの間にある第１のハイバンド周波数サブレンジに対応し、ここにおいて、前記第２の励起信号が、約１２キロヘルツから１６キロヘルツの間にある第２のハイバンド周波数サブレンジに対応する、Ｃ３に記載のデバイス。
［Ｃ６］
前記プロセッサが、
前記第１の励起信号にローパスフィルタを適用することによって第１のフィルタ処理された信号を生成することと、
前記第２の励起信号にハイパスフィルタを適用することによって第２のフィルタ処理された信号を生成することと
を行うようにさらに構成され、
ここにおいて、前記ハイバンド励起信号が、前記第１のフィルタ処理された信号と前記第２のフィルタ処理された信号とを組み合わせることによって生成される、
Ｃ３に記載のデバイス。
［Ｃ７］
前記プロセッサが、
リサンプリングされた信号への前記複数の非線形処理関数のうちの第１の関数の適用に基づいて第１の励起信号を生成することと、
前記リサンプリングされた信号への前記複数の非線形関数のうちの第２の関数の適用に基づいて第２の励起信号を生成することと
を行うようにさらに構成され、
ここにおいて、前記ハイバンド励起信号が前記第１の励起信号および前記第２の励起信号に基づく、
Ｃ１に記載のデバイス。
［Ｃ８］
前記プロセッサが、少なくとも１つの追加の励起信号を生成するようにさらに構成され、
ここにおいて、前記少なくとも１つの追加の励起信号が、前記リサンプリングされた信号への少なくとも１つの追加の関数の適用に基づいて生成され、
ここにおいて、前記ハイバンド励起信号が、前記少なくとも１つの追加の励起信号にさらに基づいて生成され、
ここにおいて、前記第１の励起信号が第１のハイバンド周波数サブレンジに対応し、前記第２の励起信号が第２のハイバンド周波数サブレンジに対応し、前記少なくとも１つの追加の励起信号が少なくとも１つの追加のハイバンド周波数サブレンジに対応する、
Ｃ７に記載のデバイス。
［Ｃ９］
前記第１の関数が２乗関数を含み、ここにおいて、前記第２の関数が絶対値関数を含む、Ｃ７に記載のデバイス。
［Ｃ１０］
前記パラメータが非線形構成モードを含む、Ｃ１に記載のデバイス。
［Ｃ１１］
前記パラメータをエンコーダから受信するように構成された受信機をさらに備える、Ｃ１に記載のデバイス。
［Ｃ１２］
前記複数の非線形処理関数が絶対値関数および２乗関数を含み、ここにおいて、前記プロセッサは、
前記パラメータが第１の値を有すると決定したことに応答して前記絶対値関数を選択することと、
前記パラメータが第２の値を有すると決定したことに応答して２乗関数または前記複数の非線形処理関数を選択することと
を行うように構成された、Ｃ１に記載のデバイス。
［Ｃ１３］
前記プロセッサは、前記パラメータが第２の値を有し、前記バンド幅拡張されたオーディオストリームに関連する第２のパラメータが特定の値を有すると決定したことに応答して、前記複数の非線形処理関数を選択するように構成された、Ｃ１に記載のデバイス。
［Ｃ１４］
前記第２のパラメータが混合構成モードを含む、Ｃ１３に記載のデバイス。
［Ｃ１５］
アンテナと、
前記アンテナに結合され、符号化オーディオ信号を受信するように構成された受信機とをさらに備える、Ｃ１に記載のデバイス。
［Ｃ１６］
前記受信機に結合された復調器をさらに備え、前記復調器が、前記符号化オーディオ信号を復調するように構成された、Ｃ１５に記載のデバイス。
［Ｃ１７］
前記プロセッサに結合されたデコーダをさらに備え、前記デコーダが、前記符号化オーディオ信号を復号するように構成され、ここにおいて、前記符号化オーディオ信号が、前記バンド幅拡張されたオーディオストリームに対応し、ここにおいて、前記プロセッサが前記復調器に結合される、Ｃ１６に記載のデバイス。
［Ｃ１８］
前記受信機、前記復調器、前記プロセッサ、および前記デコーダがモバイル通信デバイスに組み込まれる、Ｃ１７に記載のデバイス。
［Ｃ１９］
前記受信機、前記復調器、前記プロセッサ、および前記デコーダが基地局に組み込まれ、前記基地局が、前記デコーダを含むトランスコーダをさらに備える、Ｃ１７に記載のデバイス。
［Ｃ２０］
前記プロセッサおよび前記メモリが、メディア再生デバイスまたはメディアブロードキャストデバイスに組み込まれる、Ｃ１に記載のデバイス。
［Ｃ２１］
デバイスにおいて、パラメータの値に少なくとも部分的に基づいて複数の非線形処理関数を選択することと、前記パラメータが、バンド幅拡張されたオーディオストリームに関連する、
前記デバイスにおいて、前記複数の非線形処理関数に基づいてハイバンド励起信号を生成することと
を備える信号処理方法。
［Ｃ２２］
前記デバイスがメディア再生デバイスまたはメディアブロードキャストデバイスを備える、Ｃ２１に記載の方法。
［Ｃ２３］
前記デバイスがモバイル通信デバイスを備える、Ｃ２１に記載の方法。
［Ｃ２４］
前記デバイスが基地局を備える、Ｃ２１に記載の方法。
［Ｃ２５］
プロセッサによって実行されたとき、前記プロセッサに、
パラメータの値に少なくとも部分的に基づいて複数の非線形処理関数を選択することと、前記パラメータが、バンド幅拡張されたオーディオストリームに関連する、
前記複数の非線形処理関数に基づいてハイバンド励起信号を生成することと
を備える動作を実施させる命令を記憶するコンピュータ可読記憶デバイス。
［Ｃ２６］
前記複数の非線形処理関数は、前記パラメータが第１の特定の値を有し、前記バンド幅拡張されたオーディオストリームに関連する第２のパラメータが第２の特定の値を有すると決定したことに応答して選択される、Ｃ２５に記載のコンピュータ可読記憶デバイス。
［Ｃ２７］
バンド幅拡張されたオーディオストリームに関連するパラメータを記憶するための手段と、
複数の非線形処理関数に基づいてハイバンド励起信号を生成するための手段と、前記複数の非線形処理関数が前記パラメータの値に少なくとも部分的に基づいて選択される、を備える装置。
［Ｃ２８］
記憶するための前記手段および生成するための前記手段が基地局に組み込まれる、Ｃ２７に記載の装置。
［Ｃ２９］
記憶するための前記手段および生成するための前記手段が、メディア再生デバイスまたはメディアブロードキャストデバイスに組み込まれる、Ｃ２７に記載の装置。
［Ｃ３０］
記憶するための前記手段および生成するための前記手段がモバイル通信デバイスに組み込まれる、Ｃ２７に記載の装置。